(57)【要約】【課題】通常使用時の内部短絡の発生を防止することができる蓄電装置を提供すること。【解決手段】二次電池１０において、電極組立体１２の積層方向の両端に位置する偏平面１２ｂと、両偏平面１２ｂに対向した第２側壁２４の内面２４ｄとの間に、正極短絡用電極３１と負極短絡用電極３３とが両者の間に絶縁部材３２を介在させた状態で配設されている。また、二次電池１０は、積層方向に沿った絶縁シート２７よりも第２側壁２４側に突条部２４ｂを備える。【選択図】図４
2015018705.tif 000002
【特許請求の範囲】
【請求項１】
正極電極と負極電極とがセパレータを間に介在させた状態で層状に重なる電極組立体がケース内に収容されるとともに、前記ケースと前記電極組立体とが絶縁層によって絶縁され、
前記電極組立体の積層方向の両端に位置する偏平面のうち、少なくとも一方の偏平面と、該偏平面に対向した前記ケースの壁部との間に、正極の短絡用電極と負極の短絡用電極とが両者の間に絶縁部材を介在させた状態で配設された蓄電装置であって、
前記積層方向における前記絶縁層よりも外側に、導電材料製の突刺体を備えることを特徴とする蓄電装置。
【請求項２】
前記正極と負極の短絡用電極、前記絶縁部材、及び前記突刺体は、前記積層方向における前記電極組立体の両側に設けられている請求項１に記載の蓄電装置。
【請求項３】
前記突刺体は、前記壁部に一体形成されている請求項１又は請求項２に記載の蓄電装置。
【請求項４】
前記突刺体において、前記壁部の内面から前記偏平面に向けて突出する方向への突出長さは、
前記積層方向に沿った前記絶縁層の厚みの半分と、前記積層方向に沿った前記絶縁部材の厚みの半分と、各短絡用電極のうち前記電極組立体よりも前記壁部側に配置された短絡用電極の厚みと、の合計よりも長い請求項１〜請求項３のうちいずれか一項に記載の蓄電装置。
【請求項５】
前記突刺体の突出長さは、前記積層方向に沿った前記絶縁層の厚みよりも短い請求項４に記載の蓄電装置。
【請求項６】
前記蓄電装置は二次電池である請求項１〜請求項５のうちいずれか一項に記載の蓄電装置。
【発明の詳細な説明】
【技術分野】
【０００１】
本発明は、電極組立体の偏平面と、ケースの壁部との間に、正極の短絡用電極と負極の短絡用電極とが両者の間に絶縁部材を介在させた状態で積層された蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としての二次電池が搭載されている。二次電池としては、シート状の正極電極及び負極電極が、間にセパレータが介在する状態で積層された積層型の電極組立体をケース内に備えたものがある。
【０００３】
このような二次電池においては、外部からの圧力によりケースが押し潰されたりすると、正極電極と負極電極の間のセパレータが破断又は溶融し、正極電極と負極電極とがケース内において短絡して内部短絡が発生してしまう虞がある。そして、内部短絡が発生すると、その短絡部の周辺では熱が発生し、この熱によって、破裂や発火に至る虞がある。
【０００４】
そこで、内部短絡を防止するために、ケース内に短絡用電極を設けたものがある（例えば、特許文献１参照）。特許文献１では、電極組立体の外層端部で、負極電極及び正極電極の金属箔を延長した金属延長部を対向させるとともに、両金属延長部の間にセパレータ及び導電体を配置している。導電体は金属板をジグザグに折り曲げて形成されている。そして、外部からの圧力によりケースが押し潰されたりすると、導電体の凸部がセパレータを積極的に破断して、対向する正極と負極の金属延長部同士を短絡させ、電極組立体以外で内部短絡を発生させる。
【先行技術文献】
【特許文献】
【０００５】
【特許文献１】特開平８−１５３５４２号公報
【発明の概要】
【発明が解決しようとする課題】
【０００６】
ところが、特許文献１においては、二次電池の通常使用時、ケースを押し潰さないまでの圧力が作用したとき（二次電池の異常時でないとき）、その圧力を受けて導電体がセパレータを破断してしまう虞があり、二次電池の異常時でなくても内部短絡が発生してしまう虞がある。
【０００７】
本発明は、通常使用時の内部短絡の発生を防止することができる蓄電装置を提供することにある。
【課題を解決するための手段】
【０００８】
上記問題点を解決するために、請求項１に記載の発明は、正極電極と負極電極とがセパレータを間に介在させた状態で層状に重なる電極組立体がケース内に収容されるとともに、前記ケースと前記電極組立体とが絶縁層によって絶縁され、前記電極組立体の積層方向の両端に位置する偏平面のうち、少なくとも一方の偏平面と、該偏平面に対向した前記ケースの壁部との間に、正極の短絡用電極と負極の短絡用電極とが両者の間に絶縁部材を介在させた状態で配設された蓄電装置であって、前記積層方向における前記絶縁層よりも外側に、導電材料製の突刺体を備えることを要旨とする。
【０００９】
これによれば、蓄電装置の通常使用時、ケースを押し潰さないまでの圧力が、ケースの外部から積層方向に沿って壁部に作用したとき、その圧力は突刺体にも作用する。すると、突刺体は電極組立体に向けて押圧されるが、絶縁層によって保護された短絡用電極には、突刺体が突き刺さることが防止され、蓄電装置の通常使用時に、短絡用電極が短絡してしまうことを防止できる。
【００１０】
そして、ケースが、壁部の外部からの圧力により押し潰されたりすると、その圧力が突刺体に作用し、突刺体が絶縁層を突き破り、さらには短絡用電極及び絶縁部材を突き破る。その結果、対向する短絡用電極が突刺体を介して短絡し、ケース内において、電極組立体以外で内部短絡が発生する。
【００１１】
また、蓄電装置について、前記正極と負極の短絡用電極、前記絶縁部材、及び前記突刺体は、前記積層方向における前記電極組立体の両側に設けられている。
これによれば、ケースが、積層方向に沿ったいずれの方向から押し潰されても、突刺体が短絡用電極を短絡させ、内部短絡を発生させることができる。
【００１２】
また、蓄電装置について、前記突刺体は、前記壁部に一体形成されているのが好ましい。
これによれば、例えば、突刺体をケースの壁部と別部材とし、その別部材の突刺体をケースの壁部に一体化する場合と比べると、突刺体の設置及び製造を簡便化することができる。
【００１３】
また、蓄電装置について、前記突刺体において、前記壁部の内面から前記偏平面に向けて突出する方向への突出長さは、前記積層方向に沿った前記絶縁層の厚みの半分と、前記積層方向に沿った前記絶縁部材の厚みの半分と、各短絡用電極のうち前記電極組立体よりも前記壁部側に配置された短絡用電極の厚みと、の合計よりも長いのが好ましい。
【００１４】
これによれば、壁部に外部からの圧力が作用し、ケースが押し潰されると、その圧力が突刺体から絶縁層、短絡用電極及び絶縁部材にも作用する。すると、絶縁層及び絶縁部材は、厚み方向に撓んで、厚みが半分になり、突刺体が、その撓んだ絶縁層を突き破り、さらには短絡用電極及び絶縁部材を突き破る。よって、絶縁層及び絶縁部材の撓みを考慮することで、突刺体の突出長さを過度に長くせずに、絶縁層、短絡用電極及び絶縁部材を突き破ることができる。
【００１５】
また、蓄電装置について、前記突刺体の前記突出長さは、前記積層方向に沿った前記絶縁層の厚みよりも短くてもよい。
これによれば、蓄電装置の通常使用時、ケースを押し潰さないまでの圧力が、ケースの外部から作用したとき、突刺体が絶縁層を貫通することが防止される。
【００１６】
また、蓄電装置について、前記蓄電装置は二次電池である。
【発明の効果】
【００１７】
本発明によれば、通常使用時の内部短絡の発生を防止することができる。
【図面の簡単な説明】
【００１８】
【図１】実施形態の二次電池を示す斜視図。
【図２】電極組立体の構成要素及び短絡ユニットを示す分解斜視図。
【図３】二次電池内を示す図１の３−３線断面図。
【図４】（ａ）は二次電池内を示す部分拡大断面図、（ｂ）は突条部が突き刺さって内部短絡が発生した状態を示す部分拡大断面図。
【発明を実施するための形態】
【００１９】
以下、本発明の蓄電装置を二次電池に具体化した一実施形態を図１〜図４にしたがって説明する。
図１及び図３に示すように、二次電池１０は、四角箱状のケース１１に電極組立体１２及び電解液２１が収容されて構成されている。ケース１１は、直方体状の本体部材１３と、矩形平板状の蓋部材１４とを有する。本体部材１３は、矩形平板状の底部２２と、この底部２２の短側縁から立設された一対の第１側壁２３と、底部２２の長側縁から立設された一対の第２側壁２４を備える。本体部材１３は、その内側に、底部２２と、一対の第１側壁２３と、一対の第２側壁２４とによって囲まれた収容部Ｓを有するとともに、本体部材１３には収容部Ｓと連通する挿入口１３ｄが開口している。
【００２０】
第２側壁２４において、その外面に沿う方向で、かつ底部２２からの立設方向に直交する方向を幅方向とすると、第２側壁２４は、幅方向全体に亘って直線状に延び、かつ第２側壁２４の外面から本体部材１３内に向けて凹む凹条部２４ａを備える。凹条部２４ａは、第２側壁２４の立設方向に沿って等間隔おきに複数設けられている。
【００２１】
図４（ａ）に示すように、第２側壁２４は、凹条部２４ａが凹んだ位置に突条部２４ｂを備え、各突条部２４ｂは、第２側壁２４の内面２４ｄから本体部材１３内に向けて突出している。突条部２４ｂも、第２側壁２４の幅方向全体に亘って直線状に延びるとともに、立設方向に沿って等間隔おきに複数設けられている。したがって、第２側壁２４は、その内面２４ｄ及び外面が立設方向に沿って凹凸が連続する形状である。
【００２２】
突条部２４ｂは、第２側壁２４の内面２４ｄから本体部材１３内に向かうに従い立設方向に沿った幅が徐々に薄くなる先細形状である。凹条部２４ａ及び突条部２４ｂは、第２側壁２４にプレス加工を施すことにより設けられている。
【００２３】
図１及び図３に示すように、蓋部材１４は、挿入口１３ｄを閉塞する。ケース１１を構成する本体部材１３と蓋部材１４は、何れも金属製（例えば、ステンレスやアルミニウム）である。また、本実施形態の二次電池１０は、その外観が角型をなす角型電池であり、リチウムイオン電池である。
【００２４】
電極組立体１２には、当該電極組立体１２から電気を取り出すための正極端子１５と負極端子１６が電気的に接続されている。そして、正極端子１５及び負極端子１６は、蓋部材１４を貫通してケース１１外に突出するとともに、正極端子１５及び負極端子１６には、ケース１１から絶縁するためのリング状の絶縁リング１７ａがそれぞれ取り付けられている。
【００２５】
図２に示すように、電極組立体１２は、正極用金属箔１８ａの両面に正極用の活物質層１８ｂを有する正極電極１８、及び負極用金属箔１９ａの両面に負極用の活物質層１９ｂを有する負極電極１９が、両者の間にセパレータ２０を介在させた状態で層状に重なる（積層された）積層型の構成である。正極電極１８及び負極電極１９は、少なくとも対向する２辺が平行な四角形状の活物質層１８ｂ，１９ｂを有する部分が矩形状に形成されている。なお、正極電極１８の活物質層１８ｂの平面形状は、負極電極１９の活物質層１９ｂの平面形状より若干小さく形成されている。正極用金属箔１８ａには、活物質が塗布されていない未塗工部１８ｄが活物質層１８ｂの一辺に沿って設けられている。負極用金属箔１９ａには、活物質が塗布されていない未塗工部１９ｄが活物質層１９ｂの一辺に沿って設けられている。各未塗工部１８ｄ，１９ｄにはタブ１８ｆ，１９ｆが突出するように設けられている。
【００２６】
図３に示すように、正極電極１８のタブ１８ｆには正極用導電部材１８ｅが溶接で接続され、負極電極１９のタブ１９ｆには負極用導電部材１９ｅが溶接で接続されている。正極用導電部材１８ｅは、正極端子１５と一体に形成され、負極用導電部材１９ｅは、負極端子１６と一体に形成されている。
【００２７】
電極組立体１２において、正極電極１８及び負極電極１９の積層方向に直交し、かつ正極電極１８及び負極電極１９の長手方向を、電極組立体１２の長手方向とする。また、電極組立体１２において、タブ１８ｆ，１９ｆが設けられた側と反対側の端面であり、本体部材１３の底部２２側を底側端面１２ａとし、電極組立体１２の積層方向の両端に位置する面を偏平面１２ｂとする。さらに、電極組立体１２の長手方向の両端に位置する面を端面１２ｃとする。
【００２８】
電極組立体１２は、四角箱状に組立てられた絶縁シート２７によって、底側端面１２ａ、両偏平面１２ｂ、及び両端面１２ｃが覆われている。そして、本体部材１３の底部２２と電極組立体１２の底側端面１２ａとの間、本体部材１３の各第１側壁２３と電極組立体１２の端面１２ｃとの間、及び本体部材１３の各第２側壁２４と電極組立体１２の偏平面１２ｂとの間は、それぞれ絶縁シート２７によって絶縁されている。このため、電極組立体１２と、ケース１１との間には絶縁シート２７が介在し、電極組立体１２がケース１１から絶縁されている。
【００２９】
図４（ａ）に示すように、電極組立体１２において、積層方向両端の偏平面１２ｂと、両偏平面１２ｂに対向する第２側壁２４の内面２４ｄとの間には、絶縁シート２７に加え短絡ユニット３０が介装されている。よって、本実施形態では、第２側壁２４が偏平面１２ｂと対向するケース１１の壁部を構成する。
【００３０】
短絡ユニット３０は、矩形状及びアルミニウム箔製の正極短絡用電極３１、矩形状の絶縁部材３２及び、矩形状及び銅箔製の負極短絡用電極３３を有している。そして、第２側壁２４から電極組立体１２に向けて、絶縁シート２７、正極短絡用電極３１、絶縁部材３２、及び負極短絡用電極３３が積層されている。
【００３１】
図２に示すように、正極短絡用電極３１は、絶縁部材３２を間に挟んで負極短絡用電極３３と対向する矩形状の正極本体部３１ａと、負極短絡用電極３３と対向しない正極タブ部３１ｂとを有する。すなわち、正極タブ部３１ｂは、正極本体部３１ａの一辺の一部から突出する状態に設けられている。
【００３２】
負極短絡用電極３３は、絶縁部材３２を間に挟んで正極短絡用電極３１と対向する矩形状の負極本体部３３ａと、正極短絡用電極３１と対向しない負極タブ部３３ｂとを有する。負極タブ部３３ｂは、負極本体部３３ａの一辺の一部から突出する状態に設けられている。なお、正極短絡用電極３１は、電極組立体１２における正極電極１８の正極用金属箔１８ａと同形状のものを使用することができ、負極短絡用電極３３は、電極組立体１２における負極電極１９の負極用金属箔１９ａと同形状のものを使用することができる。
【００３３】
短絡ユニット３０における正極短絡用電極３１は、その正極タブ部３１ｂが、電極組立体１２の正極のタブ１８ｆと電気的に接続され、正極になっている。一方、負極短絡用電極３３は、その負極タブ部３３ｂが、電極組立体１２の負極のタブ１９ｆと電気的に接続され、負極になっている。また、短絡ユニット３０の負極短絡用電極３３は、電極組立体１２における偏平面１２ｂを構成する負極電極１９の活物質層１９ｂに面接触し、正極短絡用電極３１は、絶縁シート２７に面接触している。
【００３４】
図４（ａ）に示すように、ケース１１内では、電極組立体１２の積層方向に沿って、偏平面１２ｂよりも第２側壁２４側（外側）に短絡ユニット３０が配置され、その短絡ユニット３０よりも第２側壁２４側（外側）に絶縁シート２７が配置されている。そして、積層方向に沿った絶縁シート２７よりも第２側壁２４側（外側）に、突刺体としての突条部２４ｂが配設されている。したがって、短絡ユニット３０の正極短絡用電極３１は、絶縁シート２７によって覆われるとともに、その絶縁シート２７によって正極短絡用電極３１が突条部２４ｂから保護されている。
【００３５】
突条部２４ｂにおいて、積層方向に沿って第２側壁２４の内面２４ｄから偏平面１２ｂに向けて突出する方向への長さを、突条部２４ｂの突出長さＬ１とし、積層方向に沿った絶縁シート２７の厚みをＷ１とする。二次電池１０の通常使用時、万一、突条部２４ｂが絶縁シート２７に向かっても突条部２４ｂが絶縁シート２７を突き破れないようにするため、突条部２４ｂの突出長さＬ１は、絶縁シート２７の厚みＷ１よりも短い。
【００３６】
また、積層方向に沿った絶縁部材３２の厚みをＷ２、正極短絡用電極３１の厚みをＷ３とする。すなわち、正極短絡用電極３１と負極短絡用電極３３のうち、電極組立体１２よりも第２側壁２４側に配置された正極短絡用電極３１の厚みをＷ３とする。この場合、突条部２４ｂの突出長さＬ１は、正極短絡用電極３１の厚みＷ３よりも長い。さらに、突条部２４ｂの突出長さＬ１は、絶縁シート２７の厚みＷ１の半分と、絶縁部材３２の厚みＷ２の半分と、正極短絡用電極３１の厚みＷ３の合計（合計厚みＷとする）よりも長くなっている。
【００３７】
第２側壁２４の外部から圧力が作用し、突条部２４ｂ、絶縁シート２７、正極短絡用電極３１及び絶縁部材３２に、積層方向へ圧縮する方向への圧力が作用したとき、絶縁シート２７及び絶縁部材３２は撓んで厚みが半分になる。そして、この絶縁シート２７及び絶縁部材３２の撓みを加味したとき、突条部２４ｂが絶縁シート２７、正極短絡用電極３１及び絶縁部材３２を突き破って負極短絡用電極３３に突き刺さることができるように、突条部２４ｂの突出長さＬ１が設定されている。
【００３８】
よって、突条部２４ｂの突出長さＬ１は、以下の式（１）で表される範囲内に設定されるのが好ましい。
Ｗ１／２＋Ｗ２／２＋Ｗ３＜Ｌ１＜Ｗ１…式（１）
次に、二次電池１０の作用を記載する。
【００３９】
図４（ａ）に示すように、二次電池１０の通常使用時、短絡ユニット３０の正極短絡用電極３１は、絶縁シート２７によって覆われており、突条部２４ｂから保護されている。
図４（ｂ）に示すように、二次電池１０が、第２側壁２４の外部からの圧力により押し潰されたりすると、その圧力が突条部２４ｂから絶縁シート２７、正極短絡用電極３１及び絶縁部材３２にも作用する。すると、絶縁シート２７及び絶縁部材３２は、厚み方向に撓んで、厚みが半分になり、突条部２４ｂが、その撓んだ絶縁シート２７を突き破り、さらには短絡ユニット３０における正極短絡用電極３１及び絶縁部材３２を突き破る。その結果、対向する正極短絡用電極３１と負極短絡用電極３３が突条部２４ｂを介して短絡し、ケース１１内において、電極組立体１２以外で内部短絡が発生する。
【００４０】
上記実施形態によれば、以下のような効果を得ることができる。
（１）電極組立体１２の積層方向両端の偏平面１２ｂと、各第２側壁２４の内面との間に、絶縁シート２７及び短絡ユニット３０を配設した二次電池１０において、電極組立体１２の積層方向において、絶縁シート２７よりも第２側壁２４側に突条部２４ｂを設けた。このため、二次電池１０の通常使用時に、第２側壁２４から外力が作用しても、絶縁シート２７により、突条部２４ｂが正極短絡用電極３１を突き破る、すなわち内部短絡が発生することが防止される。
【００４１】
（２）突条部２４ｂは、電極組立体１２、短絡ユニット３０及び絶縁シート２７よりも第２側壁２４側に配設されている。このため、例えば、特許文献１のように、短絡ユニット３０の正極短絡用電極３１と負極短絡用電極３３の間に、ジグザグ状の突刺部を配設する場合と比べて、短絡ユニット３０を積極的に短絡させる構成を簡単に設けることができる。
【００４２】
（３）短絡ユニット３０及び突条部２４ｂは、電極組立体１２の両偏平面１２ｂと両第２側壁２４との間に設けられている。このため、二次電池１０において、積層方向におけるいずれの方向から第２側壁２４に圧力が作用し、ケース１１が押し潰されても、突条部２４ｂにより短絡ユニット３０を短絡させて、内部短絡を発生させることができる。
【００４３】
（４）突条部２４ｂは、本体部材１３の第２側壁２４に一体形成されている。このため、短絡ユニット３０に短絡を発生させるための突条部２４ｂを、本体部材１３とは別部材とし、その別部材を第２側壁２４に一体化する場合と比べると、突条部２４ｂの製造及び第２側壁２４への設置を簡便化できる。
【００４４】
（５）突条部２４ｂの突出長さＬ１は、絶縁シート２７の厚みＷ１よりも短い。このため、二次電池１０の通常使用時、ケース１１を押し潰さないまでの圧力が、ケースの外部から作用したとき、突条部２４ｂが絶縁シート２７を貫通してしまうことが防止され、通常使用時に突条部２４ｂが正極短絡用電極３１に突き刺さることが防止される。
【００４５】
（６）突条部２４ｂの突出長さＬ１は、正極短絡用電極３１の厚みＷ３よりも長い。このため、ケース１１が押し潰され、かつ突条部２４ｂが絶縁シート２７を突き破ったとき、正極短絡用電極３１も突き破ることがより確実になる。
【００４６】
（７）突条部２４ｂの突出長さＬ１は、絶縁シート２７の厚みＷ１の半分と、絶縁部材３２の厚みＷ２の半分と、正極短絡用電極３１の厚みＷ３の合計よりも長い。ケース１１が押し潰されたとき、絶縁シート２７及び絶縁部材３２が撓んで厚みが半分になる。このため、突条部２４ｂの突出長さＬ１は、絶縁シート２７の厚みＷ１全体及び絶縁部材３２の厚みＷ２全体を含めて設定する必要がなく、それよりも突出長さＬ１を短くすることができる。
【００４７】
（８）突条部２４ｂは、第２側壁２４にプレス加工を施して形成されている。このため、本体部材１３とは別体の突刺体を第２側壁２４の内面と、絶縁シート２７との間に入れ込む場合と比べて、二次電池１０の製造を簡単にすることができる。
【００４８】
（９）突刺体を、第２側壁２４の幅方向全体に延びる突条部２４ｂとするとともに、第２側壁２４の立設方向全体に複数の突条部２４ｂを設けた。このため、第２側壁２４のいずれの場所から圧力が作用しても、いずれかの突条部２４ｂによって絶縁シート２７を突き破り短絡ユニット３０を短絡させることができる。
【００４９】
なお、上記実施形態は以下のように変更してもよい。
○  突条部２４ｂの突出長さＬ１は、絶縁シート２７の厚みＷ１より長くてもよい。
○  突条部２４ｂの突出長さＬ１は、絶縁シート２７の厚みＷ１と、絶縁部材３２の厚みＷ２と、正極短絡用電極３１の厚みＷ３の合計よりも長くてもよい。
【００５０】
○  第２側壁２４とは別体の突刺体を、第２側壁２４の内面に接着やビス止めして設けてもよい。
○  実施形態では、突条部２４ｂは、第２側壁２４の幅方向に直線状に延び、かつ第２側壁２４の立設方向に複数設けたが、これに限らない。突条部２４ｂは、第２側壁２４の立設方向に直線状に延び、かつ幅方向に複数設けてもよい。さらに、突条部２４ｂは、第２側壁２４の対角線に対し平行に延びるように複数設けてもよい。
【００５１】
○  突刺体は、実施形態のような突条部２４ｂでなくてもよい。例えば、第２側壁２４の内面２４ｄから本体部材１３内に向けて突出する円錐状や多角錐状であってもよい。
○  突条部２４ｂは、第２側壁２４に一つだけであってもよい。
【００５２】
○  突条部２４ｂは、電極組立体１２の積層方向のいずれか一端に位置する一方の偏平面１２ｂと対向する第２側壁２４のみに設けてもよく、この場合、一方の偏平面１２ｂと、対向する第２側壁２４との間のみに短絡ユニット３０が設けられる。
【００５３】
○  短絡ユニット３０を、正極短絡用電極３１、絶縁部材３２、及び負極短絡用電極３３を一枚ずつ積層して構成したが、積層する枚数は適宜変更してもよい。
○  電極組立体１２は積層型としたが、正極電極１８と負極電極１９の間にセパレータ２０を挟んでこれらを層状に捲回した捲回型としてもよい。
【００５４】
○  電極組立体１２を構成する正極電極１８、及び負極電極１９の枚数は適宜変更してもよい。
○  絶縁層は、絶縁シート２７に限定されず、適宜変更してもよい。
【００５５】
○  実施形態では、正極電極１８は、正極用金属箔１８ａの両面に活物質層１８ｂを有するとしたが、正極用金属箔１８ａの片面のみに活物質層１８ｂを有していてもよい。同様に、負極電極１９は、負極用金属箔１９ａの両面に活物質層１９ｂを有するとしたが、負極用金属箔１９ａの片面のみに活物質層１９ｂを有していてもよい。
【００５６】
○  蓄電装置としてのニッケル水素二次電池や、電気二重層キャパシタとして具体化してもよい。
【符号の説明】
【００５７】
Ｗ１…絶縁層としての絶縁シートの厚み、Ｗ２…絶縁部材の厚み、Ｗ３…短絡用電極の厚み、Ｌ１…突出長さ、１０…蓄電装置としての二次電池、１１…ケース、１２…電極組立体、１２ｂ…偏平面、１８…正極電極、１９…負極電極、２０…セパレータ、２４…壁部としての第２側壁、２４ｂ…突刺体としての突条部、２４ｄ…内面、２７…絶縁層としての絶縁シート、３１…正極短絡用電極、３２…絶縁部材、３３…負極短絡用電極。
【図１】
2015018705.tif 000003
【図２】
2015018705.tif 000004
【図３】
2015018705.tif 000005
【図４】
2015018705.tif 000006